(57)【特許請求の範囲】
【請求項１】
多地点協調ＣｏＭＰ送信システム内の干渉を抑制するための装置であって、
第１のＣｏＭＰクラスタ内の干渉側基地局と、第２のＣｏＭＰクラスタ内の第１の基地局との間で競合するフレーム構成を検出するように構成され、前記第１のＣｏＭＰクラスタ及び前記第２のＣｏＭＰクラスタは、前記ＣｏＭＰ送信システム内で隣接している、フレーム構成競合検出ユニットと、
前記競合するフレーム構成を通知するように構成されたフレーム構成競合通知ユニットと、
前記競合するフレーム構成を検出すると、前記干渉側基地局と前記第１の基地局との間の基地局−基地局干渉を抑制するように構成された干渉抑制ユニットと
を備える装置。
【請求項２】
前記干渉抑制ユニットが、前記少なくとも１つの干渉基地局側で実施される予備符号化設計によって、前記少なくとも１つの干渉基地局からの前記第２のＣｏＭＰ基地局内の前記第１の基地局に対する前記基地局−基地局干渉を抑制する、請求項１に記載の装置。
【請求項３】
前記干渉抑制ユニットが、
ダウンリンク・チャネルに対応するチャネル行列を対応するゼロ空間に変換するように構成されたチャネル行列変換ユニットと、
前記対応するゼロ空間を予備符号化行列として利用することにより、前記少なくとも１つの干渉基地局によって送信される信号を予備符号化するように構成された予備符号化ユニットと
を備える、請求項２に記載の装置。
【請求項４】
前記干渉抑制ユニットが、前記干渉側基地局からの前記第２のＣｏＭＰ基地局内の前記第１の基地局に対する前記基地局−基地局干渉を前記第１の基地局側で抑制する、請求項１に記載の装置。
【請求項５】
前記干渉抑制ユニットが、
前記干渉側基地局から前記第１の基地局へのダウンリンク・チャネルに対応するチャネル行列に基づいて、また、前記第１の基地局から対応するユーザ機器ＵＥへのアップリンク・チャネルに対応するチャネル行列に基づいて、前記第１の基地局から受け取った信号から有用な成分および干渉成分をステップ・バイ・ステップで抽出するように構成された干渉信号決定ユニットと、
前記干渉成分を相殺するように構成された干渉成分相殺ユニットと
を備える、請求項４に記載の装置。
【請求項６】
多地点協調ＣｏＭＰ送信システム内の干渉を抑制するための装置であって、
第１のＣｏＭＰクラスタ内のセル・エッジ・ユーザ機器ＵＥと第２のＣｏＭＰクラスタ内の第１のＵＥとの間で競合するフレームを検出するように構成され、前記第１のＣｏＭＰクラスタ及び前記第２のＣｏＭＰクラスタは、前記ＣｏＭＰシステム内で隣接している、フレーム構成競合検出ユニットと、
前記競合するフレーム構成を通知するように構成されたフレーム構成競合通知ユニットと、
前記競合するフレーム構成を検出すると、前記セル・エッジ・ユーザ機器ＵＥと前記第１のＵＥとの間のＵＥ−ＵＥ干渉を抑制するように構成された干渉抑制ユニットと、
を備える、装置。
【請求項７】
前記干渉抑制ユニットが、
前記セル・エッジＵＥが呼び出されると、前記第２のＣｏＭＰクラスタにスケジュール結果を通知するように構成されたスケジュール通知ユニットと、
前記スケジュール結果を受け取ると、前記第１のＵＥをスケジュールしないことを決定するように構成されたスケジュール決定ユニットと
を備える、請求項６に記載の装置。
【請求項８】
多地点協調ＣｏＭＰ送信システム内の干渉を抑制するための方法であって、
第１のＣｏＭＰクラスタ内の干渉側基地局におけるフレーム構成競合検出ユニットによって、前記第１のＣｏＭＰクラスタ内の前記干渉側基地局と第２のＣｏＭＰクラスタ内の第１の基地局との間で競合するフレーム構成を検出するステップであって、前記第１のＣｏＭＰクラスタ及び前記第２のＣｏＭＰクラスタは前記ＣｏＭＰ送信システム内で隣接している、検出するステップと、
前記干渉側基地局におけるフレーム構成競合通知ユニットによって、前記競合するフレーム構成の通知を与えるステップと、
前記干渉側基地局における干渉抑制ユニットによって、前記競合するフレーム構成を検出すると、前記干渉側基地局と前記第１の基地局との間の基地局−基地局干渉を抑制するステップと
を含む、方法。
【請求項９】
ＣｏＭＰ送信システム内で隣接している第１のＣｏＭＰクラスタと第２のＣｏＭＰ干渉の間の干渉を抑制する前記ステップが、
前記干渉側基地局におけるチャネル行列変換ユニットによって、前記少なくとも１つの干渉基地局から前記第１の基地局へのダウンリンク・チャネルに対応するチャネル行列を対応するゼロ空間に変換するステップと、
前記干渉側基地局における予備符号化ユニットによって、前記対応するゼロ空間を予備符号化行列として利用することにより、前記少なくとも１つの干渉基地局によって送信される信号を予備符号化するステップと
を含む、請求項８に記載の方法。
【請求項１０】
前記第１のＣｏＭＰクラスタと前記第２のＣｏＭＰ干渉の間の干渉を抑制する前記ステップが、
前記干渉側基地局における干渉信号決定ユニットによって、前記少なくとも１つの干渉基地局から前記第１の基地局へのダウンリンク・チャネルに対応するチャネル行列に基づいて、また、前記第１の基地局から対応するユーザ機器ＵＥへのアップリンク・チャネルに対応するチャネル行列に基づいて、前記第１の基地局から受け取った信号から有用な成分および干渉成分をステップ・バイ・ステップで抽出するステップと、
前記干渉側基地局における干渉成分相殺ユニットによって、前記干渉成分を相殺するステップと
を含む、請求項８に記載の方法。
【請求項１１】
多地点協調ＣｏＭＰ送信システム内の干渉を抑制するための方法であって、
干渉側基地局におけるフレーム構成競合干渉検出ユニットによって、第１のＣｏＭＰクラスタ内のセル・エッジ・ユーザ機器ＵＥと第２のＣｏＭＰクラスタ内の第１のＵＥとの間で競合するフレーム構成を検出するステップであって、前記第１のＣｏＭＰクラスタと前記第２のＣｏＭＰクラスタとは前記ＣｏＭＰ送信システム内で隣接している、検出するステップと、
前記干渉側基地局におけるフレーム構成競合通知ユニットによって、前記競合するフレーム構成の通知を与えるステップと、
前記干渉側基地局における干渉抑制ユニットによって、前記競合するフレーム構成を検出すると、前記セル・エッジ・ユーザ機器ＵＥと前記第１のＵＥとの間のＵＥ−ＵＥ干渉を抑制するステップと、
を含む、方法。
【請求項１２】
ＣｏＭＰ送信システム内で隣接している第１のＣｏＭＰクラスタと第２のＣｏＭＰ干渉の間の干渉を抑制する前記ステップが、
前記干渉側基地局におけるスケジュール通知ユニットによって、前記セル・エッジＵＥが呼び出されると、前記第２のＣｏＭＰクラスタにスケジュール結果を通知するステップと、
第１の基地局におけるスケジュール決定ユニットによって、前記スケジュール結果を受け取ると、前記第１のＵＥをスケジュールしないことを決定するステップと
を含む、請求項１１に記載の方法。
【発明の詳細な説明】
【技術分野】
【０００１】
本発明は多地点協調（ＣｏＭＰ）送信システムに関し、詳細にはＴＤＤ（時分割多重化）ＣｏＭＰ送信システムにおけるＣｏＭＰクラスタ間の干渉を抑制するための方法および装置に関する。
【背景技術】
【０００２】
多地点協調送信は、高データ転送速度の有効範囲およびセル・エッジ処理能力を改善し、かつ、システム処理能力を高くするための主要なツールとしてＬＴＥ−Ａｄｖａｎｃｅｄのために考察されている。多地点協調送信の一般的な概念は、中枢網を介して接続されたアンテナサイト（または基地局）が移動局および隣接するアンテナサイトにサービスし、あるいは基地局が移動局に同時にサービスするように協調され、それにより移動局のデータ転送速度が改善されることである。
【０００３】
ＴＤＤ  ＣｏＭＰシステムでは、ＴＤＤ  ＣｏＭＰは、アップリンクとダウンリンクの間のチャネル相反作用の利点をてこ入れすることによってより高い性能利得を達成することができることが期待される。さらに、ＦＤＤシステムに優るＴＤＤシステムの他のよく知られている利点は、そのエア・インタフェース・フレーム構造がアップリンク−ダウンリンク非対称であることであり、これは、アップリンクおよびダウンリンクの通信量の変化に応じてスペクトル効率が高くなるよう、フレーム構造を動的に構成することができることを意味している。しかしながら、実際の展開では、隣接するＣｏＭＰクラスタの異なるフレーム構成は、隣接するクラスタ間に、ｅＮＢ（強化ＮｏｄｅＢ）−ｅＮＢ干渉、およびＵＥ（ユーザ機器）−ＵＥ干渉の両方を含む強力なセル間干渉（ＩＣＩ）を生成することになり、ＣｏＭＰ性能の重大な低下をもたらすことになる。
【０００４】
図１に示されているように、ＴＤＤ  ＣｏＭＰ送信システムは、２つの隣接するＣｏＭＰクラスタ、つまり図１のＣｏＭＰクラスタ１およびＣｏＭＰクラスタ２を備えるものとする。ＣｏＭＰクラスタ１のサブ・フレーム構成がＣｏＭＰクラスタ２のサブ・フレーム構成とは異なっている場合、つまり図１に示されているように異なっている場合、ＣｏＭＰクラスタ１がダウンリンクであると、ＣｏＭＰクラスタ２はアップリンクであり、この場合、以下に示す干渉を含む２つのタイプのＩＣＩが生じることになる。
１）ｅＮＢ−ｅＮＢ干渉。例えば図１に示されているように、ＣｏＭＰクラスタ１内のｅＮＢ＿１１は、ＣｏＭＰクラスタ１内のＵＥ＿１１のダウンリンク方向に存在し、一方、ＣｏＭＰクラスタ２内のｅＮＢ＿２１は、ちょうどＣｏＭＰクラスタ２内のＵＥ＿２１のアップリンク方向に存在している。この時点で、ＣｏＭＰクラスタ１内のｅＮＢ＿１１は、ＣｏＭＰクラスタ２内のｅＮＢ＿２１に対する干渉を生成することになる。つまりアップリンク方向におけるｅＮＢは、隣接するＣｏＭＰクラスタ内のダウンリンクｅＮＢによって干渉されることになる。
２）ＵＥ−ＵＥ干渉。例えば図１に示されているように、ＣｏＭＰクラスタ１内のＵＥ＿１１は、ＣｏＭＰクラスタ１内のｅＮＢ＿１１のダウンリンク方向に存在し、一方、ＣｏＭＰクラスタ２内のＵＥ＿２１は、ちょうどＣｏＭＰクラスタ２内のｅＮＢ＿２１のアップリンク方向に存在している。この時点で、ＣｏＭＰクラスタ２内のＵＥ＿２１は、ＣｏＭＰクラスタ１内のＵＥ＿１１に対する干渉を生成することになる。つまりダウンリンク方向におけるＵＥは、隣接するＣｏＭＰクラスタ内のアップリンクＵＥによって干渉されることになる。とりわけこれらのＵＥが極めて接近している場合、干渉は強大なものになる。
【０００５】
これらの２つのタイプのＩＣＩの場合、ｅＮＢの送信エネルギーはＵＥよりはるかに大きいため、ｅＮＢ−ｅＮＢ  ＩＣＩはより顕著になる。
【０００６】
従来技術では、いくつかの雑音抑制機構および接続処理（チャネルおよびデータ交換が必要である）スキームが提案されており、これらは、主としてＴＤＤシステムにおけるセル間ＵＬ／ＤＬ  ＩＣＩ管理のために使用されているが、ＴＤＤ  ＣｏＭＰシステムに特化された解決法は依然として存在していない。単一セルＴＤＤシステムの場合であっても、競合するサブ・フレームに対する雑音抑制は、同じく帯域幅の浪費の原因になり、一方、接続処理スキームは、処理を大いに複雑にする。
【０００７】
したがってＴＤＤ  ＣｏＭＰシステムにおけるセル間ＵＬ／ＤＬ  ＩＣＩを抑制し、その一方でＣｏＭＰの確実な実施およびＴＤＤシステム内におけるフレーム構成の柔軟性を維持する解決法が望ましい。
【発明の概要】
【発明が解決しようとする課題】
【０００８】
上記の問題を解決するために、本発明によれば、ＴＤＤ  ＣｏＭＰシステム内における協調ビーム形成（ＣＢＦ）および協調スケジューリング（ＣＳ）を採択し、その一方でＣｏＭＰの確実な実施およびＴＤＤシステム内におけるフレーム構成の柔軟性を維持することによってセル間ＵＬ／ＤＬ  ＩＣＩを抑制することができる新規な解決法が提供される。
【課題を解決するための手段】
【０００９】
本発明の一態様によれば、多地点協調ＣｏＭＰ送信システム内の干渉を抑制するための装置であって、競合するフレーム構成を検出するように構成されたフレーム構成競合検出ユニットと、競合するフレーム構成の通知を与えるように構成されたフレーム構成競合通知ユニットと、競合するフレーム構成を検出すると、ＣｏＭＰ送信システム内で隣接している第１のＣｏＭＰクラスタと第２のＣｏＭＰクラスタの間の干渉を抑制するように構成された干渉抑制ユニットとを備える装置が提供される。
【００１０】
好ましいことには、干渉は、第１のＣｏＭＰクラスタ内の少なくとも１つの干渉基地局からの、第２のＣｏＭＰ基地局内の第１の基地局に対する基地局−基地局干渉からなっている。
【００１１】
好ましいことには、干渉抑制ユニットは、少なくとも１つの干渉基地局側で実施される予備符号化設計によって、少なくとも１つの干渉基地局からの第２のＣｏＭＰ基地局内の第１の基地局に対する基地局−基地局干渉を抑制する。
【００１２】
好ましいことには、干渉抑制ユニットは、ダウンリンク・チャネルに対応するチャネル行列を対応するゼロ空間に変換するように構成されたチャネル行列変換ユニットと、対応するゼロ空間を予備符号化行列として利用することにより、少なくとも１つの干渉基地局によって送信される信号を予備符号化するように構成された予備符号化ユニットとを備えている。
【００１３】
好ましいことには、干渉抑制ユニットは、少なくとも１つの干渉基地局からの第２のＣｏＭＰ基地局内の第１の基地局に対する基地局−基地局干渉を第１の基地局側で抑制する。
【００１４】
好ましいことには、干渉抑制ユニットは、少なくとも１つの干渉基地局から第１の基地局へのダウンリンク・チャネルに対応するチャネル行列に基づいて、また、第１の基地局から対応するユーザ機器ＵＥへのアップリンク・チャネルに対応するチャネル行列に基づいて、第１の基地局から受け取った信号から有用な成分および干渉成分をステップ・バイ・ステップで抽出するように構成された干渉信号決定ユニットと、干渉成分を相殺するように構成された干渉成分相殺ユニットとを備えている。
【００１５】
好ましいことには、装置は第１の基地局に位置している。
【００１６】
好ましいことには、干渉は、第１のＣｏＭＰクラスタ内のセル・エッジ・ユーザ機器ＵＥからの、第２のＣｏＭＰクラスタ内の第１のＵＥに対するＵＥ−ＵＥ干渉を含み、セル・エッジＵＥは第１のＵＥに隣接している。
【００１７】
好ましいことには、干渉抑制ユニットは、セル・エッジＵＥが呼び出されると、第２のＣｏＭＰクラスタにスケジュール結果を通知するように構成されたスケジュール通知ユニットと、スケジュール結果を受け取ると、第１のＵＥをスケジュールしないことを決定するように構成されたスケジュール決定ユニットとを備えている。
【００１８】
本発明の他の態様によれば、多地点協調ＣｏＭＰ送信システム内の干渉を抑制する方法であって、競合するフレーム構成を検出するステップと、競合するフレーム構成の通知を与えるステップと、競合するフレーム構成を検出すると、ＣｏＭＰ送信システム内で隣接している第１のＣｏＭＰクラスタと第２のＣｏＭＰ干渉の間の干渉を抑制するステップとを含む方法が提供される。
【００１９】
好ましいことには、干渉は、第１のＣｏＭＰクラスタ内の少なくとも１つの干渉基地局からの、第２のＣｏＭＰ基地局内の第１の基地局に対する基地局−基地局干渉を含む。
【００２０】
好ましいことには、ＣｏＭＰ送信システム内で隣接している第１のＣｏＭＰクラスタと第２のＣｏＭＰ干渉の間の干渉を抑制するステップは、少なくとも１つの干渉基地局から第１の基地局へのダウンリンク・チャネルに対応するチャネル行列を対応するゼロ空間に変換するステップと、対応するゼロ空間を予備符号化行列として利用することにより、少なくとも１つの干渉基地局によって送信される信号を予備符号化するステップとを含む。
【００２１】
好ましいことには、ＣｏＭＰ送信システム内で隣接している第１のＣｏＭＰクラスタと第２のＣｏＭＰ干渉の間の干渉を抑制するステップは、少なくとも１つの干渉基地局から第１の基地局へのダウンリンク・チャネルに対応するチャネル行列に基づいて、また、第１の基地局から対応するユーザ機器ＵＥへのアップリンク・チャネルに対応するチャネル行列に基づいて、第１の基地局から受け取った信号から有用な成分および干渉成分をステップ・バイ・ステップで抽出するステップと、干渉成分を相殺するステップとを含む。
【００２２】
好ましいことには、干渉は、第１のＣｏＭＰクラスタ内のセル・エッジ・ユーザ機器ＵＥからの、第２のＣｏＭＰクラスタ内の第１のＵＥに対するＵＥ−ＵＥ干渉を含み、セル・エッジＵＥは第１のＵＥに隣接している。
【００２３】
好ましいことには、ＣｏＭＰ送信システム内で隣接している第１のＣｏＭＰクラスタと第２のＣｏＭＰ干渉の間の干渉を抑制するステップは、セル・エッジＵＥが呼び出されると、第２のＣｏＭＰクラスタにスケジュール結果を通知するステップと、スケジュール結果を受け取ると、第１のＵＥをスケジュールしないことを決定するステップとを含む。
【００２４】
既存のスキームに対して、本発明は、ＴＤＤ  ＣｏＭＰシステム内における協調ビーム形成（ＣＢＦ）および協調スケジューリング（ＣＳ）を採択し、その一方でＣｏＭＰの確実な実施およびＴＤＤシステム内におけるフレーム構成の柔軟性を維持することによってセル間ＵＬ／ＤＬ  ＩＣＩを抑制する。
【００２５】
本発明の上記および他の目的、特徴ならびに利点は、好ましい実施形態について、以下の図面に関連して説明することによってより明確になるであろう。
【図面の簡単な説明】
【００２６】
【図１】本発明を実施することができるＴＤＤ  ＣｏＭＰ送信シナリオの略図である。
【図２】図１に示されているシナリオにおけるＣｏＭＰクラスタ間の干渉を抑制するための本発明による装置の略ブロック図である。
【図３】図１に示されているシナリオにおけるＣｏＭＰクラスタ間の干渉を抑制するための本発明による方法の流れ図である。
【図４】本発明による、ｅＮＢ−ｅＮＢ干渉を抑制するための方法の流れ図である。
【図５】本発明による、ｅＮＢ−ｅＮＢ干渉を抑制するように構成された干渉抑制ユニットの略ブロック図である。
【図６】本発明による、ｅＮＢ−ｅＮＢ干渉を抑制するように構成された他の干渉抑制ユニットの略ブロック図である。
【図７】本発明による、ｅＮＢ−ｅＮＢ干渉を抑制するように構成されたさらに他の干渉抑制ユニットの略ブロック図である。
【図８】本発明による、ＵＥ−ＵＥ干渉を抑制するための方法の流れ図である。
【図９】本発明による、ＵＥ−ＵＥ干渉を抑制するように構成された干渉抑制ユニットの略ブロック図である。
【発明を実施するための形態】
【００２７】
以下、本発明の好ましい実施形態について、添付の図面を参照して詳細に説明するが、本発明についての理解が混乱しないよう、本発明には不要な詳細および機能については、以下の説明では省略する。
【００２８】
本発明においては、ＣｏＭＰ送信を良好に実施し、その一方でＴＤＤシステム内におけるフレーム構成の柔軟性を維持するために、本発明は、ＴＤＤ  ＣｏＭＰシステム内における協調ビーム形成（ＣＢＦ）および協調スケジューリング（ＣＳ）を採択することによってセル間ＵＬ／ＤＬ  ＩＣＩを抑制するために提供される。
【００２９】
図１は、本発明を実施することができるＴＤＤ  ＣｏＭＰ送信シナリオの略図である。図１に示されているように、ＴＤＤ  ＣｏＭＰ送信システムは、２つの隣接するＣｏＭＰクラスタ、すなわちＣｏＭＰクラスタ１およびＣｏＭＰクラスタ２を備えており、ＣｏＭＰクラスタ１は、３つの基地局（ｅＮＢ＿１１、ｅＮＢ＿１２およびｅＮＢ＿１３）および３つのユーザ機器（ＵＥ＿１１、ＵＥ＿１２およびＵＥ＿１３）を備えており、また、ＣｏＭＰクラスタ２も、３つの基地局（ｅＮＢ＿２１、ｅＮＢ＿２２およびｅＮＢ＿２３）および３つのユーザ機器（ＵＥ＿２１、ＵＥ＿２２およびＵＥ＿２３）を備えている。
【００３０】
ここでは、個々のクラスタ内のセルのフレーム構成は全く同じであり、一方、ＣｏＭＰクラスタ１のサブ・フレーム構成は、ＣｏＭＰクラスタ２のサブ・フレーム構成、例えば図１に示されているサブ・フレーム構成とは異なっているものとする。この場合、ＣｏＭＰクラスタ１とＣｏＭＰクラスタ２の間に２つのタイプのＩＣＩが存在し、つまりｅＮＢ−ｅＮＢ干渉およびＵＥ−ＵＥ干渉が存在する。例えばアップリンクｅＮＢ＿２１は、ダウンリンク方向に位置しているｅＮＢ＿１１およびｅＮＢ＿１２からのｅＮＢ−ｅＮＢ干渉によって影響されることになる（ここではｅＮＢ＿１３はｅＮＢ＿２１から離れているため、ｅＮＢ２１に対するＮＢ１３の干渉は考慮されない）。同様に、ＣｏＭＰクラスタ１内のＵＥがＣｏＭＰ２内のＵＥに隣接している場合、例えばＣｏＭＰクラスタ１内のダウンリンク方向に位置しているＵＥ＿１１は、ＣｏＭＰクラスタ２内のアップリンク方向に位置しているＵＥ＿２１からのＵＥ−ＵＥ干渉にさらされることになる。
【００３１】
図２は、本発明による、図１に示されているシナリオにおけるＣｏＭＰクラスタ間の干渉を抑制するための装置２０の略ブロック図である。図２に示されているように、装置２０は、競合するフレーム構成を検出するように構成されたフレーム構成競合検出ユニット２０１と、競合するフレーム構成の通知を与えるように構成されたフレーム構成競合通知ユニット２０３と、競合するフレーム構成、例えばｅＮＢ−ｅＮＢ干渉およびＵＥ−ＵＥ干渉を検出すると、ＣｏＭＰクラスタ１とＣｏＭＰクラスタ２の間の干渉を抑制するように構成された干渉抑制ユニット２０５とを備えている。
【００３２】
図３は、本発明による、図１に示されているシナリオにおけるＣｏＭＰクラスタ間の干渉を抑制するための方法の流れ図である。図３に示されているように、この方法は、競合するフレーム構成を検出するステップ３０１と、競合するフレーム構成の通知を与えるステップ３０３と、競合するフレーム構成を検出すると、ＣｏＭＰクラスタ１とＣｏＭＰクラスタ２の間の干渉、例えばｅＮＢ−ｅＮＢ干渉およびＵＥ−ＵＥ干渉を抑制するステップ３０５とを含む。
【００３３】
本発明では、ＣＢＦおよびＣＳは、それぞれｅＮＢ−ｅＮＢ干渉およびＵＥ−ＵＥ干渉を抑制するために採択されている。以下、ｅＮＢ−ｅＮＢ干渉およびＵＥ−ＵＥ干渉に対する本発明による特定の処理（つまり上記ステップ３０５の処理）についてそれぞれ詳細に説明する。
【００３４】
［ｅＮＢ−ｅＮＢ干渉］
ｅＮＢ−ｅＮＢ干渉に関しては、干渉抑制は、干渉側（例えばダウンリンク送信方向に位置しているｅＮＢ＿１１およびｅＮＢ＿１２）または被干渉側（例えばアップリンク受信方向に位置しているｅＮＢ＿２１）のいずれかでＣＢＦによって実施することができる。ここでは、隣接するクラスタ内のセルは互いのＳＣＩ−ＲＳおよびセルＩＤが分かる、つまり異なるＣｏＭＰクラスタからのｅＮＢ間のチャネル行列
【００３５】
【数１】
0005693751.tif 000002
は、測定が可能であるものとする。ＣＳＩ−ＲＳおよびセルＩＤが分かると、当業者にはチャネル行列の測値が分かるため、ここでは詳細は省略する。
【００３６】
実施形態１
干渉側すなわち送信側では、ＴＤＤシステムのｅＮＢとチャネル相反作用の間の測定可能なチャネルによって異なる送信ビーム形成を予め決定することができる。さらに、ＴＤＤ  ＣｏＭＰシステムのＣＢＦの新しい特徴は、ＣＢＦはＣｏＭＰクラスタ間に採択されるため、クラスタ・エッジでセルを介して独立して協調／無効ビーム形成器を指示することができ、あるいはＤＬ送信クラスタ内のｅＮＢによって共同して指示することができることにある。
【００３７】
図４は、本発明による、ｅＮＢ−ｅＮＢ干渉を抑制するための方法の流れ図である。
【００３８】
図４に示されているように、ステップ４０１で、少なくとも１つの干渉基地局から被干渉基地局へのチャネルに対応するチャネル行列が対応するゼロ空間に変換される。
【００３９】
例えば、図１に示されているｅＮＢ＿１１とｅＮＢ＿２１の間のチャネル行列
【００４０】
【数２】
0005693751.tif 000003
が対応するゼロ空間に変換される。次にステップ４０３で、対応するゼロ空間が、少なくとも１つの干渉基地局によって送信される信号を予備符号化するための予備符号化行列として利用される。
【００４１】
図１に示されているように、
【００４２】
【数３】
0005693751.tif 000004
は、クラスタ１内のｅＮＢ＿１ｊからクラスタ２内のｅＮＢ＿２ｉへのチャネル行列を表している。
【００４３】
【数４】
0005693751.tif 000005
は、ＣｏＭＰクラスタｎ内のＵＥ＿ｎｊからｅＮＢ＿ｎｉへのチャネル行列を表している。図１から、ＣｏＭＰクラスタ２内のｅＮＢ＿２１のアップリンク送信は、クラスタ１内のｅＮＢ＿１１およびｅＮＢ＿１２からのダウンリンク送信による重大な干渉にさらされることが明確に分かる。したがってＵＥ＿２１からｅＮＢ＿２１へのアップリンク受信信号
【００４４】
【数５】
0005693751.tif 000006
は、
【００４５】
【数６】
0005693751.tif 000007
として表される。上式で
【００４６】
【数７】
0005693751.tif 000008
は、ＵＥ＿２１からｅＮＢ＿２１によって受信される信号を表し、
【００４７】
【数８】
0005693751.tif 000009
は、ＵＥ＿２１から送信される信号の予備符号化行列を表し、
【００４８】
【数９】
0005693751.tif 000010
は、クラスタ１からのＤＬ干渉を表し、また、
【００４９】
【数１０】
0005693751.tif 000011
は、他のＵＬ干渉を表している。
【００５０】
他のＵＬ干渉は、ＦＤＤ  ＣｏＭＰシステム内で概ね解決されているため、干渉のこの部分については省略し、本発明は、主として
【００５１】
【数１１】
0005693751.tif 000012
の抑制に的を絞る。
【００５２】
本発明では、
【００５３】
【数１２】
0005693751.tif 000013
のゼロ空間がｅＮＢ＿１１の予備符号化行列として利用される。
【００５４】
予備符号化行列は、
【００５５】
【数１３】
0005693751.tif 000014
として表すことができる。
【００５６】
同様に、ｅＮＢ＿２１に対するｅＮＢ＿１２のＤＬ干渉を考察すると、同様の予備符号化スキームを同じく採用して、ｅＮＢ＿１２からダウンリンク送信される信号を予備符号化することができる。詳細には、ｅＮＢ＿１２は、以下の予備符号化行列を採択する。
【００５７】
【数１４】
0005693751.tif 000015
【００５８】
この場合、ｅＮＢ＿２１に対するｅＮＢ＿１１およびｅＮＢ＿１２のＤＬ干渉は、
【００５９】
【数１５】
0005693751.tif 000016
として表すことができる。
【００６０】
言い換えると、予備符号化行列
【００６１】
【数１６】
0005693751.tif 000017
および
【００６２】
【数１７】
0005693751.tif 000018
を利用することによってｅＮＢ＿２１に対するｅＮＢ＿１１およびｅＮＢ＿１２のＤＬ干渉を完全に抑制することができる。
【００６３】
ＣｏＭＰ送信の基本的な価値は、その強力な共同処理能力にある。ＴＤＤ  ＣｏＭＰシステムの場合、クラスタ内の独立したセルのための予備符号化設計とは異なる共同予備符号化設計を採択することができる。例えば共同予備符号化は、ｅＮＢからｅＮＢ  ＩＣＩに及ぶゼロ空間拡張を抑制するために、クラスタ１内のｅＮＢ＿１１およびｅＮＢ＿１２に対して実施される。
【００６４】
ｅＮＢ＿２１に対するｅＮＢ＿１１およびｅＮＢ＿１２のための共同チャネル行列は、
【００６５】
【数１８】
0005693751.tif 000019
であり、また、ｅＮＢ＿１１およびｅＮＢ＿１２のための共同予備符号器は、次の式によって決定される。
【００６６】
【数１９】
0005693751.tif 000020
【００６７】
この方法によれば、クラスタ１内のｅＮＢ＿１１およびｅＮＢ＿１２によるｅＮＢ＿２１に対するすべてのＤＬ  ＩＣＩを抑制することも可能である。
【００６８】
上記の説明は、ＣｏＭＰクラスタ１内のｅＮＢ＿１１およびｅＮＢ＿１２のダウンリンク送信がｅＮＢ＿２１に対する干渉の原因になる、という前提条件の上に立っていることに留意されたい。しかしながら、上記の方法は、同様に、ｅＮＢ＿１１およびｅＮＢ＿１２のうちの一方がｅＮＢ＿２１に対する干渉を生成するシナリオ、ＣｏＭＰクラスタ１内の３つ以上のｅＮＢがｅＮＢ＿２１に対する干渉を生成するシナリオ、およびＣｏＭＰクラスタ１内の少なくとも１つのｅＮＢが、ｅＮＢ＿２１に対する干渉およびｅＮＢ＿２２に対する干渉（あるいは、さらにはＣｏＭＰクラスタ２内の多くのｅＮＢに対する干渉）を同時に生成するシナリオなどのシナリオにも適用可能であることを理解されたい。
【００６９】
以上、送信側（すなわち干渉側）における干渉抑制アルゴリズムとしてゼロ強制予備符号化方法が採択されたが、本発明はこのゼロ強制予備符号化方法に限定されない。同様の方法は、信号対漏れ比（ＳＬＮＲ）に基づく予備符号化を最大化する方法、等々を含む。
【００７０】
図５は、本発明による、ｅＮＢ−ｅＮＢ干渉を抑制するように構成された干渉抑制ユニットの略ブロック図である。図５に示されているように、干渉抑制ユニット５０は、ダウンリンク・チャネルに対応するチャネル行列を対応するゼロ空間に変換するように構成されたチャネル行列変換ユニット５０１と、対応するゼロ空間を予備符号化行列として利用することにより、少なくとも１つの干渉基地局によって送信される信号を予備符号化するように構成された予備符号化ユニット５０３とを備えている。
【００７１】
この例では、干渉抑制ユニット５０は、ＣｏＭＰクラスタ１内のｅＮＢ＿１１またはｅＮＢ＿１２に配置することができる。
【００７２】
実施形態２
被干渉側すなわち受信側では、複数の線形処理方法、例えば干渉無効連続セル間干渉相殺（ＳＩＣ）を採択してｅＮＢ−ｅＮＢ  ＩＣＩを抑制することができる。受信機内の処理も、送信機内の処理と同様、限られた空間によって同じく制限されているが、受信機内の処理は受信エネルギーによって制限されていない、つまり任意の受信エネルギー仮定が許容される。したがって受信機側での処理がより実際的である。
【００７３】
図６は、本発明による、ｅＮＢ−ｅＮＢ干渉を抑制するための他の方法の流れ図である。
【００７４】
図６に示されているように、ステップ６０１で、第１の基地局から受け取った信号から、少なくとも１つの干渉基地局から第１の基地局へのダウンリンク・チャネルに対応するチャネル行列に基づいて、また、第１の基地局から対応するユーザ機器ＵＥへのアップリンク・チャネルに対応するチャネル行列に基づいて、有用な成分および干渉成分がステップ・バイ・ステップで抽出される。次に、ステップ６０３で干渉成分が相殺される。
【００７５】
ｅＮＢ−ｅＮＢ  ＩＣＩを抑制するための受信機ビーム形成は、既に言及したビーム形成と全く同じであるが、この場合は被干渉側で実施される。
【００７６】
この部分では、ｅＮＢ−ｅＮＢ  ＩＣＩを抑制するために、連続干渉相殺ＳＩＣアルゴリズムが採択される。
【００７７】
【数２０】
0005693751.tif 000021
と仮定すると、以下の手順を介して、自身のセル内におけるＵＬ受信信号発信、および隣接するクラスタからのＤＬ干渉信号発信を決定することができる。
初期化    Ｇ１＝Ｈ＋
ｉ＝１
反復
【００７８】
【数２１】
0005693751.tif 000022
上式で、「＋」はＭｏｏｒｅ−Ｐｅｎｒｏｓｅ一般逆行列を表し、（Ｇｉ）ｊはＧｉのｊ番目の線を表し、
【００７９】
【数２２】
0005693751.tif 000023
は、ゼロ化列ｋ１．．．ｋｉ−１、ｋｉによって得られる行列を表し、また、Ｑ（・）は、使用中の集合に適した量子化（スライシング）演算を表している。干渉信号が十分に強力である場合、最初にそれを解決することができる。次に、最初に受信した信号を得るために干渉信号を差し引くことによってソース信号を得ることができる。
【００８０】
図７は、本発明による、ｅＮＢ−ｅＮＢ干渉を抑制するように構成されたさらに他の干渉抑制ユニットの略ブロック図である。
【００８１】
図７に示されているように、干渉抑制ユニット７０は、第１の基地局から受け取った信号から、少なくとも１つの干渉基地局から第１の基地局へのダウンリンク・チャネルに対応するチャネル行列に基づいて、また、第１の基地局から対応するユーザ機器ＵＥへのアップリンク・チャネルに対応するチャネル行列に基づいて、有用な成分および干渉成分をステップ・バイ・ステップで抽出するように構成された干渉信号決定ユニット７０１と、干渉成分を相殺するように構成された干渉成分相殺ユニット７０３とを備えている。
【００８２】
この例では、干渉抑制ユニット７０は、ＣｏＭＰクラスタ２内のｅＮＢ＿２１に配置することができる。
【００８３】
[ＵＥ−ＵＥ干渉]
ＵＥ−ＵＥ干渉の場合、とりわけ隣接するクラスタ内のスケジューリングＵＥが互いに隣接しており、干渉は強大なものになる可能性がある。異なるサブ・フレームＵＬ／ＤＬ構成の隣接するＵＥを非対称スケジューリングすることにより、隣接するＣｏＭＰクラスタ間のＣＳは、効果的にＩＣＩを回避することができる。
【００８４】
隣接するクラスタ内のスケジューリングＵＥが互いに隣接している場合、干渉が強大なものになる可能性がある。したがってＵＥ−ＵＥ  ＩＣＩに打ち勝つための効果的な方法は、異なるＵＬ／ＤＬ構成を有する２つの隣接するクラスタ・エッジＵＥの同時スケジューリングを回避することである。
【００８５】
以下、一例として図１の隣接するＵＥ＿１１とＵＥ＿２１の間の干渉を使用して、図８および９を参照して説明する。
【００８６】
図８は、本発明による、ＵＥ−ＵＥ干渉を抑制するための方法の流れ図である。
【００８７】
図８に示されているように、ステップ８０１で、ＵＥ＿１１がｅＮＢ＿１１によって呼び出されると、スケジューリング結果がｅＮＢ＿１１によって第２のＣｏＭＰクラスタに通知される。次に、ステップ８０３で、スケジューリング結果を受け取ると、ｅＮＢ＿２１は、ＵＥ＿１１に対して近隣のＵＥ＿２１をスケジュールしないことを決定する。この方法によれば、異なるＵＬ／ＤＬ構成を有する２つの隣接するクラスタ・エッジＵＥの同時スケジューリングを回避することができる。
【００８８】
図９は、本発明による、ＵＥ−ＵＥ干渉を抑制するように構成された干渉抑制ユニットの略ブロック図である。
【００８９】
図９に示されているように、干渉抑制ユニット９０は、ＵＥ＿１１が呼び出されると、第２のＣｏＭＰクラスタにスケジュール結果を通知するように構成されたスケジュール通知ユニット９０１と、スケジュール結果を受け取ると、ＵＥ＿１１に対して近隣のＵＥ＿２１をスケジュールしないことを決定するように構成されたスケジュール決定ユニット９０３とを備えている。
【００９０】
本発明において提供されるＣＢＦ／ＣＳ解決法は、より少ない信号発信交換およびより少ない複雑性で性能利得を保証することができる。
【００９１】
ここで開示されている本発明の実施形態の他の設定は、既に簡単に説明した、また、詳細に説明されることになる実施形態のステップおよび操作を実行するソフトウェア・プログラムを備えている。より詳細には、コンピュータ・プログラム製品は、以下の実施形態のうちの１つを備えており、コンピュータ・プログラム論理が符号化されているコンピュータ可読媒体を備え、計算デバイス上で実行されると、コンピュータ・プログラム論理が関連する操作を提供し、それにより上記干渉抑制計画を提供する。計算デバイスの少なくとも１つのプロセッサ上で実行されると、コンピュータ・プログラム論理は、プロセッサをイネーブルして、本発明の実施形態の中で説明されている操作（方法）を実行する。本発明のこのような設定は、通常、光媒体（例えばＣＤ−ＲＯＭ）、フロッピー・ディスクまたはハード・ディスク、等々などのコンピュータ可読媒体、あるいはファームウェアのための他の媒体上に配置され、あるいは符号化されたソフトウェア、コードおよび／または他のデータ構造として提供され、もしくは１つまたは複数のＲＯＭもしくはＲＡＭまたはＲＯＭチップあるいは専用集積回路（ＡＳＩＣ）上の他のマイクロコードとして提供され、あるいは１つまたは複数のモジュール内のダウンロード可能ソフトウェア・イメージまたは共用データベース、等々として提供される。ソフトウェアまたはファームウェアあるいはこのような構成は、計算デバイス内の１つまたは複数のプロセッサが本発明の実施形態の中で説明されている技術を実施することができるよう、計算デバイス上でアセンブルすることができる。例えば他の実体内の一組の通信デバイスまたは計算デバイスと相俟って実施されるソフトウェア・プロセスは、本発明によるシステムを提供することも可能である。また、本発明によるシステムは、複数のデータ通信デバイス上の複数のソフトウェア・プロセスの間、または一組の小さいサイズの専用コンピュータ上で走るすべてのソフトウェア・プロセスの間、あるいは単一のコンピュータ上で走るすべてのソフトウェア・プロセスの間で分散させることも可能である。
【００９２】
厳密に言えば、本発明の実施形態は、データ処理デバイス上のソフトウェア・プログラム、ソフトウェアおよびハードウェアとして、あるいは個別のソフトウェアおよび／または個別の回路として具体化することができることを理解されたい。
【００９３】
以上、本発明について、好ましい実施形態を参照して説明した。当業者は、本発明の精神および範囲を逸脱することなく、様々な種類の他の変更、置換および追加を加えることができることを理解されたい。したがって本発明の範囲は、上記特定の実施形態に限定されず、特許請求の範囲によって定義されるものとする。
【図１】
0005693751.tif 000024
【図２】
0005693751.tif 000025
【図３】
0005693751.tif 000026
【図４】
0005693751.tif 000027
【図５】
0005693751.tif 000028
【図６】
0005693751.tif 000029
【図７】
0005693751.tif 000030
【図８】
0005693751.tif 000031
【図９】
0005693751.tif 000032